(57)【要約】  明細及び図は、プリアンブルを送信するために、制御チャネル、例えばＵＬ（上り回線）個別物理制御チャネルを用いた連続接続送信におけるプリアンブルの適応プリアンブル長を規定するための、新たな方法、システム、装置、及びソフトウェアプロダクトを提示する。そのようなプリアンブルは、送信ギャップの後、初期の電力設定に対する精度要件を減らし、例えば拡張個別チャネル（E-DCH）などのデータチャネルの推定及び同期も補助する。プリアンブル長は、a) データチャネル上でデータを送信するために使用されるマルチパスチャネルのフェージングの程度、及び／又はb) データチャネルにおける名目スループットに関連するスループット、に応じた既定の基準を用いて、最適化及び規定される
2009527140.tif 000002
【特許請求の範囲】
【請求項１】
方法であって、
連続的に接続されるユーザーに適用される通信システムにおいて、データチャネル上でデータ信号及び制御チャネル上で制御信号を供給するステップ、並びに
プリアンブルを有する前記制御信号を送信するステップを有し、
既定の基準を用いて前記プリアンブルのプリアンブル長を規定し、該プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、方法。
【請求項２】
名目スループットに関連する前記スループットはＫレベルにより分類され、Ｋは少なくとも２の値の整数である、請求項１に記載の方法。
【請求項３】
フェージングの前記程度はＮレベルにより分類され、Ｎは少なくとも２の値の整数である、請求項１に記載の方法。
【請求項４】
前記制御チャネルは、ユーザー装置からネットワークエレメントに電力制御プリアンブルを送信する上り回線個別物理制御チャネルである、請求項１に記載の方法。
【請求項５】
前記ネットワークエレメントはノードＢであり、前記ネットワークエレメント及び前記ユーザー装置はワイヤレス通信に対し構成される、請求項４に記載の方法。
【請求項６】
前記ユーザー装置は、ワイヤレスデバイス、携帯デバイス、モバイル通信デバイス又は携帯電話である、請求項４に記載の方法。
【請求項７】
前記規定することは前記ネットワークエレメントにより供給される、請求項４に記載の方法。
【請求項８】
前記規定することは前記ユーザー装置により供給される、請求項４に記載の方法。
【請求項９】
前記データチャネルは拡張個別チャネルである、請求項１に記載の方法。
【請求項１０】
前記プリアンブルを前記送信する前に、前記方法は、
更なる既定の基準を用いてプリアンブル電力時間依存性を規定するステップを有する、請求項１に記載の方法。
【請求項１１】
前記プリアンブル長は前記データ信号の送信タイミング間隔の長さにより更に決まる、請求項１に記載の方法。
【請求項１２】
前記規定の間、前記プリアンブル長は、前記送信ギャップ長の変化に応じた前記既定の基準を用いて事前選択された値により変わる、請求項１に記載の方法。
【請求項１３】
前記送信ギャップが所定のしきい値を超える場合のみ、前記プリアンブル長は非ゼロとなる、請求項１１に記載の方法。
【請求項１４】
コンピュータプログラムプロダクトであって、
コンピュータプログラムコードを用いたコンピュータプロセッサーによる実行のために、該コンピュータプログラムコードを搭載するコンピュータ可読記憶構成を有し、該コンピュータプログラムコードは請求項１の前記方法を実行するための指示を有し、ユーザー装置又はネットワークの任意のコンポーネント又はコンポーネントの組合せにより実行されることを指示される、コンピュータプログラムプロダクト。
【請求項１５】
ユーザー装置であって、
データチャネル上でデータ信号及び制御チャネル上で制御信号を供給するために、上り回線スケジューリング及び信号生成モジュール、並びに、
プリアンブルを有する前記制御信号を送信するために構成されたモジュールを有し、
前記プリアンブルのプリアンブル長は既定の基準を用いて適応的に規定され、該プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、ユーザー装置。
【請求項１６】
名目スループットに関連する前記スループットはＫレベルにより分類され、Ｋは少なくとも２の値の整数である、請求項１５に記載のユーザー装置。
【請求項１７】
フェージングの前記程度はＮレベルにより分類され、Ｎは少なくとも２の値の整数である、請求項１５に記載のユーザー装置。
【請求項１８】
前記制御チャネルは、前記ユーザー装置からネットワークエレメントに電力制御プリアンブルを送信する上り回線個別物理制御チャネルである、請求項１５に記載のユーザー装置。
【請求項１９】
前記規定することはネットワークエレメントにより供給される、請求項１５に記載のユーザー装置。
【請求項２０】
前記上り回線スケジューリング及び信号生成モジュールは、前記プリアンブル長を規定するために構成される、請求項１５に記載のユーザー装置。
【請求項２１】
前記データチャネルは拡張個別チャネルである、請求項１５に記載のユーザー装置。
【請求項２２】
前記プリアンブル長は前記データ信号の送信タイミング間隔の長さにより更に決まる、請求項１５に記載のユーザー装置。
【請求項２３】
前記規定の間、前記プリアンブル長は、前記送信ギャップ長の変化に応じた前記既定の基準を用いて事前選択された値により変わる、請求項２２に記載のユーザー装置。
【請求項２４】
前記送信ギャップが所定のしきい値を超える場合のみ、前記プリアンブル長は非ゼロとなる、請求項２２に記載のユーザー装置。
【請求項２５】
前記送信ギャップ長は可変である、請求項２２に記載のユーザー装置。
【請求項２６】
前記プリアンブルは、前記データ信号の送信中に変化する動的な長さを持つ、請求項１５に記載のユーザー装置。
【請求項２７】
集積回路は、上り回線スケジューリング及び信号生成モジュール及び送信するために構成された前記モジュールを有する、請求項１５に記載のユーザー装置。
【請求項２８】
前記制御信号及び前記データ信号が１つの結合されたチャネル上で送信されるように、前記制御チャネル及び前記データチャネルが結合された、請求項１５に記載のユーザー装置。
【請求項２９】
通信システムであって、
連続的に接続されるユーザーに適用される該通信システムにおいて、データチャネル上でデータ信号及び制御チャネル上で制御信号を供給するための、並びに前記制御チャネル上の電力制御プリアンブルを送信するためのユーザー装置、並びに
プリアンブルを有する前記制御信号に応答するネットワークエレメントを有し、
前記プリアンブルのプリアンブル長は既定の基準を用いて規定され、該プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、通信システム。
【請求項３０】
名目スループットに関連する前記スループットはＫレベルにより分類され、Ｋは少なくとも２の値の整数である、請求項２９に記載のシステム。
【請求項３１】
前記プリアンブル長は、前記データ信号の送信タイミング間隔（TTI）の長さにより更に決まる、請求項２９に記載のシステム。
【請求項３２】
ユーザー装置であって、
データチャネル上でデータ信号及び制御チャネル上で制御信号を提供するための信号生成手段、並びに
プリアンブルを有する前記制御信号を送信するための送信及び受信のための手段を有し、
前記プリアンブルのプリアンブル長は既定の基準を用いて適応的に規定され、該プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、ユーザー装置。
【請求項３３】
前記信号生成手段は、上り回線スケジューリング及び信号生成モジュールである、請求項３２に記載のユーザー装置。
【請求項３４】
ネットワーク要素であって、
ユーザー装置からのデータチャネル上でのデータ信号及び制御チャネル上での制御信号を受信するための受信機、
プリアンブルのプリアンブル長を適応的に規定するための下り回線スケジューリング及び信号生成モジュール、並びに
前記ユーザー装置に前記プリアンブルを送信するための送信機を有し、
該プリアンブル長は、既定の基準を用いて、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、ネットワーク要素。
【請求項３５】
前記プリアンブル長は、前記データ信号の送信タイミング間隔の長さにより更に決まる、請求項３４に記載のネットワーク要素。
【発明の詳細な説明】
【技術分野】
【０００１】
本発明は、一般的には、モバイル／ワイヤレス通信に関連し、詳細には、連続接続性送信における適応プリアンブル長を規定することに関連する。
【背景技術】
【０００２】
パケットデータユーザーは、通常、活動（activity）の時折の期間のみ、ネットワークと連続的に接続される。連続接続モードでは、ユーザーは非活動の期間にもそのデータチャネルを放棄せず、トラヒックが有効であるときにはチャネルを再設定するだけとなる。これは、ユーザーの実現を台無しにするであろう遅延をもたらす。多数のそのようなユーザーを許容するために、ＵＥは、データを送らないとき、その連続な個別物理制御チャネル（DPCCH :  continuous dedicated physical control channel）送信を中断するよう（即ち、ゲーティング（gating）を使用）に設定することができる。ユーザーは、例えば、２−５フレーム毎に１つの2 ms TTI（transmission timing interval）のデータを送信し、その間には何も送信しない（即ち、送信ギャップ中にはDPCCHはない）。
【０００３】
上り回線（ユーザー装置からネットワークへの方向）において、個別チャネル（DCH: dedicated channel）及び対応する個別物理データチャネル（DPDCH: dedicated physical data channel）が設定されていないとき、全てのデータは、拡張個別物理データチャネル（E- DPDCH: enhanced dedicated physical data channel）にマップされた拡張個別チャネル（E-DCH: enhanced dedicated channel）上で送信される。E-DCHと関連した制御シグナリングは、拡張個別物理制御チャネル（E-DPCCH: enhanced dedicated physical control channel）上で送信される。E-DPDCH及びE-DPCCHは不連続とすることができ、送信すべきデータがあるとき、且つ送信がネットワークにより承認されているときのみ送信される。上り回線において、E-DPDCH及びE-DPCCHに加え、連続的な個別物理制御チャネル（DPCCH: dedicated physical control channel）、及び、場合により、高速下り共用チャネル(HS-DSCH : high speed downlink shared channel)に対する連続又は非連続の個別物理制御チャネル（例えば、上り高速個別物理制御チャネル（HS-DPCCH: uplink high speed dedicated physical control channel））が送信される。
【０００４】
パケットサービスセッションは、ETSI標準、TR 101 112、UMTS 30.03「UMTSの無線送信技術の選択における選定手順（Selection procedures for the choice of radio transmission technologies of the UMTS）」、version 3.2.0、で記述されているアプリケーションに応じた１つ又は幾つかのパケットコールを有する。パケットサービスセッションは非リアルタイム（NRT: non-real time）無線アクセスベアラ期間として、そしてパケットコールはパケットデータ送信のアクティブ期間として考えることができる。パケットコール期間、幾つかのパケットが生成され、これはパケットコールがパケットのバースト的なシーケンスを構成することを意味する。バースト性はパケット送信の特徴的な特性である。パケットデータトラヒックの典型的な振る舞いは、図１に図示される。
【０００５】
UL DPCCHは、レイヤ１（物理レイヤ）で生成される制御情報を伝送する。レイヤ１制御情報は、例えば、同期検出のためのチャネル推定をサポートする既知のパイロットビット、DL DPCH (dedicated physical channel)用の送信電力制御（TPC: transmit power control）、オプションのフィードバック情報（FBI: feedback information）、及びオプションの転送フォーマットコンビネーションインジケーター（TFCI: transport format combination indicator）を有する。通常、UL DPCCHは、連続して送信され（一定の時間期間に送信されるべきデータがない場合でさえ）、各無線リンクに対し１つのUL DPCCHがある。連続的な送信は、回線交換サービスにおいては問題ではなく、通常、サービスは連続的に送信される。しかし、バースト性のパケットサービスにおいて、連続的なDPCCH送信は重大なオーバーヘッドの要因となる。
【０００６】
上り回線容量は、制御オーバーヘッドを減らすことにより、増加させることができる。制御オーバーヘッドを減少させるための１つの可能性は、UL DPCCHゲーティング（又は、不連続送信）であり、即ち、DPCCH上で、常時、信号を送信しないことである。
【０００７】
ゲーティングを使用するための理由付けは、
・ ユーザー装置（UE: user equipment）の電力節約及びより長いバッテリー寿命の提供
・ インターフェース削減の提供、及び
・ より高い容量の提供
を有する（ただし、制限はされない）。
【０００８】
異なるユーザー信号間の電力不均衡及び高速フェージングに対抗するため、全ての上り回線信号に対して高速の閉ループ電力制御が存在する。ノードＢは、例えば、UEにより送信されたDPCCHの信号対干渉比（SIR）を連続的に推定し、推定値と目標値を比較する、そして、送信電力レベルを増加又は減少させるために、下り回線において、送信電力制御（TPC）コマンドをUEに送信する。電力制御に伴い、変動する状況下において、異なるUEからの信号は所望の品質で受信される。
【０００９】
上り回線の送信ギャップ期間、ノードＢは適切なTPCコマンドを決定するための受信信号品質を推定できないため、UL電力制御は通常通りには動作できない（SIRは極端に低くなり、通常に生成されるTPCコマンドはUEにUL送信電力を増加させるよう通知するであろう）。そのために、ギャップ後に使用されるべき送信電力を推定又は事前規定する必要がある。ユーザーの移動又は伝搬条件の変化（フェージング）により、長い送信ギャップのケースにおいて、送信ギャップ前に使用された電力が適切な通信を保証するには十分でなく、HARQ（hybrid automatic repeat request）の使用を増加させ、又は、電力が過剰であり、ULノイズを増加させ、これらによりUL電力制御及びUL容量のスケジューリング（例えば、高速上りパケットアクセス（HSUPA: high speed uplink packet access）の場合）をより困難とすることがあり得る。
【００１０】
無線リンク特性を改善するため、数スロットの期間のDPCCHプリアンブルが送信に付加される。これは、電力制御及びチャネル推定の両方が現在のリンク条件に適応することを可能にするという二重の利益がある。HARQ（hybrid automatic repeat request）に関して、プリアンブルは最初の送信のみに付加する、又は最初の送信と続く再送信に付加する、のどちらか一方とすることができる。
【発明の開示】
【００１１】
発明の第１の観点によれば、方法は、連続的に接続されるユーザーに適用される通信システムにおいてデータチャネル上でデータ信号及び制御チャネル上で制御信号を供給し、既定の基準を用いてプリアンブルのプリアンブル長を規定し、プリアンブルを有する制御信号を送信することを有し、プリアンブル長は、データ信号を送信するために使用されるマルチパスチャネルのフェージングの程度、データ信号の名目スループットと関連するスループット、及び制御信号又はデータ信号における送信ギャップ長の少なくとも１つにより決まる。
【００１２】
更なる発明の第１の観点によれば、名目スループットに関連するスループットは、Kレベルにより分類することができ、Kは少なくとも２の値の整数である。
【００１３】
更なる発明の第１の観点によれば、フェージングの程度はNレベルにより分類することができ、Nは少なくとも２の値の整数である。
【００１４】
更なる発明の第１の観点によれば、制御チャネルは、ユーザー装置からネットワークエレメントへ電力制御プリアンブルを送信する上り回線個別物理制御チャネルとできる。更に、ネットワークエレメントはノードBとでき、ネットワークエレメント及びユーザー装置はワイヤレス通信用に構成される。更に、ユーザー装置は、ワイヤレスデバイス、携帯デバイス、モバイル通信デバイス、又は携帯電話とできる。更に、規定することはネットワークエレメントにより与えられ、又はユーザー装置により与えられることができる。
【００１５】
更なる発明の第１の観点によれば、データチャネルは、拡張個別チャネルとできる。  
【００１６】
更なる発明の第１の観点によれば、プリアンブルの送信前、方法は、更なる既定の基準を用いて、プリアンブル電力時間依存を規定することを有する。
【００１７】
更なる発明の第１の観点によれば、プリアンブル長は、データ信号の送信タイミング間隔の長さにより更に決まる。
【００１８】
更なる発明の第１の観点によれば、規定する間、プリアンブル長は、送信ギャップ長の変化に応じて、既定の基準を用いて事前選択された値により変えることができる。更に、プリアンブル長は、送信ギャップが所定のしきい値を超えた場合のみ、非ゼロとできる。
【００１９】
発明の第２の観点によれば、ユーザー装置は、データチャネル上でデータ信号及び制御チャネル上で制御信号を供給するための上り回線スケジューリング及び信号生成モジュール（又は、一般的には信号生成手段）、並びに、プリアンブルを有する制御信号を送信するよう構成されるモジュール（一般的に、このモジュールは、例えばトランシーバーなどの受信及び送信のための手段とできる）を有し、プリアンブルのプリアンブル長は既定の基準を用いて適応的に規定され、プリアンブル長は、データ信号を送信するために使用されるマルチパスチャネルのフェージングの程度、データ信号の名目スループットに関連するスループット、及び制御信号又はデータ信号における送信ギャップ長の少なくとも１つにより決まる。
【００２０】
更なる発明の第２の観点によれば、名目スループットに関連するスループットはKレベルにより分類することができ、Kは少なくとも２の値の整数であり、及び／又は、フェージングの程度はNレベルにより分類することができ、Nは少なくとも２の値の整数である。
【００２１】
更なる発明の第２の観点によれば、規定することはネットワークエレメントにより供給され、並びに／又は、上り回線スケジューリング及び信号生成モジュールはプリアンブル長を規定するために構成される。
【００２２】
更なる発明の第２の観点によれば、データチャネルは拡張個別チャネルとできる。
【００２３】
更なる発明の第２の観点によれば、プリアンブル長は、データ信号の送信タイミング間隔の長さにより更に決まる。更に、規定する間、プリアンブル長は、送信ギャップ長の変化に応じて、既定の基準を用いて事前選択された値により変えることができる。更に、プリアンブル長は、送信ギャップが所定のしきい値を超えた場合のみ、非ゼロとできる。更に、送信ギャップ長は可変とできる。
【００２４】
更なる発明の第２の観点によれば、プリアンブルは、データ信号の送信中に変化する動的な長さを有することができる。
【００２５】
更なる発明の第２の観点によれば、集積回路は、上り回線スケジューリング及び信号生成モジュール及び送信用に構成されたモジュールを有する。
【００２６】
更なる発明の第２の観点によれば、制御信号及びデータ信号が１つの連結したチャネル上で送信されるように、制御チャネル及びデータチャネルは連結することができる。
【００２７】
発明の第３の観点によれば、通信システムは、連続的に接続されるユーザーに適用される通信システムにおいて、データチャネル上でデータ信号及び制御チャネル上で制御信号を供給するための、及び制御チャネル上で電力制御プリアンブルを送信するためのユーザー装置、並びにプリアンブル有する制御信号に応答するネットワークエレメントを有し、プリアンブルのプリアンブル長は既定の基準を用いて規定され、プリアンブル長は、データ信号を送信するために使用されるマルチパスチャネルのフェージングの程度、データ信号の名目スループットに関連するスループット、及び制御信号又はデータ信号における送信ギャップ長の少なくとも１つにより決まる。
【００２８】
発明の第４の観点によれば、ネットワークエレメントは、ユーザー装置からのデータチャネル上のデータ信号及び制御チャネル上の制御信号を受信するための受信機、プリアンブルのプリアンブル長を適応的に規定するための下り回線スケジューリング及び信号生成モジュール、並びにユーザー装置にプリアンブルを送信するための送信機を有し、プリアンブル長は、既定の基準を用いて、データ信号を送信するために使用されるマルチパスチャネルのフェージングの程度、データ信号の名目スループットに関連するスループット、及び制御信号又はデータ信号における送信ギャップ長の少なくとも１つにより決まる。
【００２９】
発明の第５の観点によれば、コンピュータープログラムプロダクトは、コンピュータープログラムコードを用いたコンピュータープロセッサーによる実行のため、コンピュータープログラムコードを搭載するコンピューター可読記憶構成を有し、コンピュータープログラムコードは発明の第1の観点を実行するための命令を有し、ネットワークエレメント又はユーザー装置の任意の要素又は要素の結合により実行されるものとして示される。
【発明を実施するための最良の形態】
【００３０】
本発明の性質及び目的のより深い理解のため、以下の図と併せて、以下の詳細記述について説明する。
発明を実行するためのモード
プリアンブルを送信するために、例えばUL（上り回線）個別物理制御チャネル（DPCCH）などの制御チャネルを使用する連続接続送信におけるプリアンブルの適応プリアンブル長を規定するための、新たな方法、システム、装置及びソフトウェアプロダクトが提示される。このようなプリアンブルは、送信ギャップ後の初期電力設定に対する精度要件を減らし、また拡張個別チャネル（E-DCH）などのデータチャネルのチャネル推定及び同期を補助する。本発明の１つの実施例によれば、プリアンブル長は、ａ）送信機から受信機まで伝搬する送信信号が受ける無線チャネルによるフェージングの程度及び／若しくはマルチパス反射の程度、ここで、この信号はデータチャネル上でデータを送信するために使用される（若しくは制御チャネル上での制御信号）、ｂ）データチャネルにおける名目スループットに関連するスループット、並びに／又は、ｃ）非連続な制御信号（例えば、DPCCH上で送信される）、若しくは、例えば拡張個別チャネル（E-DCH: enhanced dedicated channel）上で送信される非連続なデータ信号における送信ギャップ長（例えば、可変とできる非活動の期間）、に応じた既定の基準を用いて、最適化及び規定される。
【００３１】
加えて、本発明の更なる実施例によれば、プリアンブル長は不連続なデータ信号の送信タイミング間隔（TTI: transmission timing interval）の長さによっても決められる。更に、電力制御プリアンブル（又はプリアンブル）の電力は、更なる既定の基準を用いて、時間に伴い変更できる（即ち、傾斜したプリアンブル又は段階的に変わる電力を使用するなど、プリアンブルにおける時間依存性電力）。
【００３２】
本発明の実施例によれば、プリアンブル長は、使用中の動作点に加えて、事前に存在する知識及び一般的なチャネル条件に従い、適応的に変更できる。プリアンブル長の決定は、効果的に、ネットワークエレメント（例えばノードB）において行われ、UE（ユーザー装置）に伝達される。ソフトハンドオーバ（SHO: soft handover）の場合、UEは、アクティブセット内の複数のノードBからのプリアンブル長要求を組み合わせることができる（即ち、UEはどのプリアンブル長を使うかを規定しなければならない）。プリアンブル長の決定がRNC（radio network controller）において行われる場合、UEにおける組合わせは必要ではなくなるが（即ち、UEと通信されるプリアンブル長に対して、ただ１つの設定のみとなる）、シグナリングの状況はより複雑となる。
【００３３】
本発明の様々な実施例を用いて解決することが可能となる問題は、最適なプリアンブル長をどのように特定するかである。一方では、プリアンブルにスロットを付加することは、優れた電力制御及びチャネル推定に関して利点をもたらすが、もう一方では、より長いプリアンブルを送信することはバッテリー電力を消費し、干渉を加える。そのため、「エネルギーが有効に使われる」スロット数、及び、それを超えてプリアンブルに更なる長さを加えることは追加の利点をもたらさないというスロット数を決定する必要がある。
【００３４】
図２ａ及び２ｂは、ａ）強いフェージング（PA3）及びｂ）強くないフェージング（VA30）マルチパスチャネルにおいて、異なるプリアンブル長に対し、Ec/No（ノードＢのアンテナ結合部における全受信電力スペクトル密度に対して、受信される制御及びデータチャネルからなる信号のPNチップ当たりの受信エネルギー）を関数としてのスループットの単一ユーザーシミュレーション結果を表すグラフの例を示す。PA3は“歩行者（Pedestrian）A 3km/h”を意味し、ここでは、タップ（マルチパス要素）構成が、（0dB 0ns）、（-20dB 260ns）、（-24dB 520ns）（第１タップに対する電力、ナノ秒で与えられるタップ遅延）であるマルチパス環境として定義される。VA30は、タップ（0dB 0ns）、（-2.4dB 260ns）、（-6.5dB 520ns）、（-9.4dB 780ns）、（-12.7dB 1040ns）を伴う“自動車（Vehicular）A 30km/h”として定義される。自動車の例（図２ｂ）において、最終タップはそれに割り当てられるレイク受信機フィンガーを持たない、即ち、ノードBは受信信号の最終マルチパスインスタンスのエネルギーを使用しない。その他全て（例えば、図２ａの歩行者ケース）では、フィンガーは的確なタップ位置に割り当てられる、即ち、ノードＢは、１つの受信信号としてマルチパスインスタンスを合成するとき、信号のその他マルチパスインスタンスのエネルギーを十分に利用する。言い換えると、チャネルから集められたエネルギーと受信機の複雑度の間の重要なトレードオフを持つように設定が選択される。例えば、自動車ケース（図２ｂ）では、最終タップはその他に比べかなり弱く、特性を大幅に劣化させることなく、それを破棄することは可能である。このように、レイク受信機内に更なるフィンガーを割り当てる必要はなく、このため複雑度を節減することができる。
【００３５】
図２ａ及び２ｂから示されることであるが、最適なプリアンブル長は、次により決められる。
・ マルチパスチャネルタイプ： 強いフェージング（PA3）／強くないフェージング（VA30）、及び／又は、
・ 動作ポイント： 名目スループットに関連する低／高スループット； 高／低スループットは、使用されるアプリケーションの必要性に応じて、例えば、E-DCHデータチャネル（E- DPDCH）に対して規定することができる。名目スループットは、単一送信のデータレートに関係する。実際のスループットは、間違った配信の後に生じる再送信のため、低くなる。全てのパケットが最初の試行で無事に伝送されるなら、スループットは名目スループットと等しくなり、パケットが無事に送付されるまでに平均２回の送信を必要とするなら、スループットは名目スループットの半分に等しくなる。
【００３６】
また、上記したように、ギャップ長及びその他の要素も最適プリアンブル長に影響する。
【００３７】
これら変数をネットワークエレメント（例えば、ノードＢ）は知ることができる。そして、ネットワークエレメントは、既定の基準を用いて最適のプリアンブル長を選択することができ、UEにそれを伝達する。最適長は、例えば、リンクレベルシミュレーターを用いたシミュレーションにより決定することができる。各パラメータ（例えば、フェージング、スループットなど）を２つ以上の分類（レベル）に分類すれば十分である。例えば、マルチパスチャネルは、レイク受信機内のチャネルタップの数及び相対的強度に従い、強いフェージング又は弱いフェージング（又は、一般的にはＮレベルのフェージングに分類される、ここでＮは少なくとも２の値の整数である）と想定できる。チャネルが1つのタップにより占められるなら（即ち、信号の殆どのエネルギーが単一の信号伝搬パスを介して受信される）、強いフェージングとなる一方で、多くの等電力のタップは弱いフェージングマルチパスチャネルを表す。
【００３８】
例えば、75%より多い信号エネルギーが単一パスを介して受信されるために、無線信号がUEアンテナからノードBアンテナに伝搬される無線チャネルを、ノードB受信機が強いフェージングとして分類する場合、ノードBは4スロットプリアンブル長を使用するようUEを構成する。あるいは、２スロットプリアンブル長を使用するようUEを構成することができる。より長いプリアンブルでは、データ送信が行われる前、電力制御は正確な設定に送信電力レベルを調整するためにより時間を必要とする。強いフェージングチャネルにおいては、弱いフェージングチャネルと比べ、送信ギャップの後、電力設定は最適設定からさらに離れることが予想される。
【００３９】
ノードB内のソフトウェアにより実装できる１つの簡単な動作の例は、以下のステップに分解することができ、設定が可能な間隔において各連続接続性UEに対し繰り返される。
マルチパスチャネルを強い又は弱いフェージングマルチパスチャネルに分類する。
マルチパス分類、動作ポイント、及びゲーティングプロファイルを考慮し、事前計算されたテーブルから最適なプリアンブル長を選択する。並びに、
UEにプリアンブル長を伝達する。
【００４０】
プリアンブル長を適応的に規定するとき、本発明の実施例は上記の入力パラメータの選択に限定されるべきではなく、その他の時間依存性の又は静的なパラメータも含めることができ、これにより、プリアンブルの長さをそれが適合しそうなどのような基準にも従い調整するためのネットワークの能力を供給し、特定の受信機タイプ、又は外部の無線チャネルに対し使用される実装、又は受信機により推定若しくは測定されるデータレート条件にもまた関連付けられることに注意する。
【００４１】
ここで紹介される主な利点は、ユーザー毎に生成されるノイズ上昇の節減であり、連続接続を用いて、より多くのユーザーがセル内に位置することを可能とする。ユーザー毎の少量（dBで）の節減でさえ、幾つかの更なるユーザーをもたらし、これは本発明の実施例の経済的重要性を増大させる。更に、本発明の実施例によれば、ネットワークエレメント（例えば、ノードB又はRNC）は、上の実施例により記載された同一の既定の基準を用いて、正確な長さを供給する代わりに、例えば、０から１０までのスロットで、例えば、プリアンブル長に対する制限を設定するようにUEに指示を与えることができる。そして、プリアンブル長の最終決定は更なる検討材料を用いてUEが行うこともできる。例えば、ネットワークエレメントにより供給される制限内で、DPCCH送信ギャップ長及び／又はE-DCH TTI（送信タイミング間隔）長に応じてプリアンブル長を規定できる。送信ギャップ長が短い程プリアンブル長は短く、TTI長が長い程プリアンブル長は短くなる（例えば、2msのE-DCH TTIにおいて、10msのE-DCH TTIでのものと比べより短い送信ギャップを用いて、同一のプリアンブル長が必要となり、使用される）。
【００４２】
更に、本発明の実施例によれば、プリアンブル長は、ネットワークからのフィードバック有り又は無しとして（例えば、3GPP TS25.214内の電力制御プリアンブルはフィードバック無しで定義され、3GPP TS25.211及び3GPP TS25.214内の物理ランダムアクセスチャネル（PRACH: physical random access channel）プリアンブルはフィードバック有りで定義される）、既定の基準を用いて、例えばユーザー装置（UE）により規定することができる。プリアンブルがフィードバック有り（例えば、プリアンブルの電力傾斜タイプ）で使用されるなら、最大プリアンブル長は動的とすることができ、その後、E-DCH送信は、ネットワークエレメント（例えばノードB）からのフィードバックを終わらせるプリアンブルがなくても開始することができる。最小プリアンブルはDL（下り回線）TPC（送信電力制御）エラーを防ぐが、最小プリアンブル長は動的である必要はない。
【００４３】
本発明の更なる実施例によれば、プリアンブル電力の時間依存性は、電力傾斜、電力ステップサイズの使用、フィードバックがネットワークエレメント（例えばノードB）から受信されるまでのより高い電力制御ステップサイズの使用を含む（しかし制限はされない）更なる既定の基準を用いて定義することができる。
【００４４】
上記の既定の基準によれば、プリアンブル長を規定するためのルールは、例えば、2倍の送信ギャップに対しプリアンブル長を２倍とする、送信ギャップが更なる事前選定値（例えば、更なる事前制定されたスロット数）により変更された後、事前選定値（例えば、事前制定されたスロット数）によりプリアンブル長を増加させる、又は、長いE-DCH非活動期間中に全てのギャップに対し事前選定値によりプリアンブル長を増加させることとすることができる。プリアンブル長を規定するためのルールは（上で定義した最大プリアンブル長を含む）、TTI長を関数として、様々な同様の依存性を持つこともできる。
【００４５】
例えばUL DPCCHなどの制御チャネルに対する上記した本発明の全ての実施例は、例えば、チャネル推定及び電力制御のために使用されるULにおける任意のL1制御チャネル（例えば、パイロット及び／又は電力制御情報を伝える）に適用することができ、下り回線制御チャネルに対しても同様であることに注意する。また、本発明の実施例によれば、プリアンブル長を規定することはネットワークエレメント又は同様にUEにより実行できることに注意する。更に、１つの実施例において、制御チャネル及びデータチャネルは結合され、制御信号及びデータ信号がこの結合されたチャネル上で送信できるようになることに注意する。
【００４６】
図３は、本発明の実施例に従い、プリアンブルを送信するための、例えば、個別物理制御チャネル（DPCCH）を用いた連続接続送信における適応プリアンブル長を規定することを表す１つの例のブロックダイアグラムを示す。
【００４７】
図3の例において、移動端末１０は、上り回線スケジューリング及び信号生成モジュール１２並びに送信機／受信機／処理モジュール１４を有する。モジュール１２は、一般的には信号生成手段又はそれと構造的に同等のもの（又は同一構造）であることに注意する。また、モジュール１４は、一般的には、例えばトランシーバーなどの送信及び／若しくは受信手段、又はそれと構造的に同等のもの（又は同一構造）である。ユーザー装置１０は、ワイヤレスデバイス、携帯デバイス、モバイル通信デバイス、携帯電話などである。
【００４８】
図3の例において、ネットワークエレメント１６（例えば、ノードB又は無線ネットワーク制御器RNC）は、送信機１８、信号スケジューリング及び生成モジュール２０、並びに受信機２２を有する。上記したように本発明の異なる実施例に従い、既定の及び更なる既定の基準を用いて、モジュール２０は、プリアンブル長のプリアンブル規定信号、又は代わりに電力制御フィードバック及び／若しくはプリアンブル長に対する指示（例えばレンジ）（信号35、35a、及び35bを参照）をユーザー装置１０に供給する（信号34、34a、及び36を参照）ために使用される。
【００４９】
本発明の実施例によれば、モジュール１２、１４又は２０は、ソフトウェア又はハードウェアモジュール又はそれらの結合として実装できる。さらに、モジュール１２、１４又は２０は、分離したモジュール／ブロックとして実装でき、又はユーザー装置１０若しくはネットワークエレメント１６のその他標準モジュール／ブロックと組み合わせることができ、又はその機能性に従い幾つかのモジュール／ブロックに分割することができる。送信機／受信機／処理モジュール１４は、複数の方法で実装することができ、一般的には送信機、受信機、CPU（central processing unit）などを有する。送信機及び受信機は、例えば、技術的には既知のトランシーバーなどの１つのモジュール内に組み入れることができる。モジュール１４は、ネットワークエレメント１６とモジュール１２の有効的な通信を供給する。ユーザー装置１０の全て又は選択されたモジュールは、集積回路を用いて実装することができ、ネットワークエレメント１６の全て又は選択されたブロック及び／又はモジュールもまた集積回路を用いて実装できる。
【００５０】
本発明の実施例によれば、モジュール１２は、データ／制御／プリアンブル信号３０を供給し、それはネットワークエレメント１６の受信機２２に転送される（信号３２ａ、３２ｂ、３２ｃであり、３２ｂ及び３２ｃの両方はDPCCH上で送信される）。特に、モジュール１２は、例えば、非連続のデータ信号（これはE-DCHチャネル上で送信されるE-DCH信号３２ａを有する）及び非連続の制御信号（これはUL DPCCHチャネル上で送信されるDPCCH信号３２ｃ及びプリアンブル信号３２ｂの両方を有する）を供給する。
【００５１】
UE１０がプリアンブルを規定するために使用される場合、それはモジュール１２により調整され、始められる。ネットワークエレメント１６から受信される指示信号（信号３５、３５ａ、及び３５ｂを参照）に応じて、及び、例えば、非連続のDPCCH信号３２ｃ又は非連続のE-DCH信号３２ａにおける送信ギャップ長（これは可変とできる）、及び／又はE-DCH信号３２ａの送信タイミング間隔（TTI）の長さなどの適切なパラメータを監視することによる既定の基準を用いて、モジュール１２はプリアンブル長を最適化できる（または、電力制御プリアンブル内の電力依存性は、モジュール１２による更なる既定の基準を用いて最適化できる）。
【００５２】
図３に示されるように、ネットワークエレメント１６は、電力制御フィードバック（プリアンブルフィードバック信号３５）を供給するために受信されたプリアンブル信号（これは、DPCCH信号の特別なフォーマットとして代わりに定義することができる）を使用できる。図３は、受信E-DCH信号及び受信DPCCH信号が、無線チャネル内のフェージングの程度又は使用されるデータレート、及びモジュール２０によるプリアンブル長を規定するためのTTI送信の成功確率など、重要なパラメータを決定するためにモジュール２０により使用されることを更に表す。
【００５３】
図３の例は、UL方向において本発明の実施例に従い、プリアンブル長を規定することを表す。同一の原理は、本発明の実施例に従い、DL（下り回線）方向にも適用できる。図４はそのような構成を表し、ネットワークエレメント２７の下り回線スケジューリング及び信号生成モジュール２１は、例えば、既定された及び更に既定された基準を用いてDL送信におけるプリアンブルを規定するために使用され、これにより送信機１８により下り回線に送信される（プリアンブル信号２３ａ）プリアンブル信号２３を供給する。マルチパスチャネルのフェージングの程度、又は／及び、下り回線における名目スループットに関連するスループットを決定するために必要となる情報（信号２５及び２５ａ）は、UEによりネットワークエレメントに伝達される。
【００５４】
図５は、本発明の実施例に従い、プリアンブルを送信するために、例えば個別物理制御チャネル（DPCCH）を用いた連続接続送信における適応プリアンブル長を規定するためのフローチャートの例である。
【００５５】
図５のフローチャートは、幾つかの中の１つの可能性あるシナリオのみを表す。図５に示されるステップの順序は、絶対的に要求されるものではなく、一般的には、様々なステップが順序を超えて実行される。本発明の実施例による方法において、第１のステップ５０では、ユーザー装置１０は非連続データ信号（例えばE-DCH信号）３２ａ及び非連続制御信号（例えばDPCCH信号）３２ｃをネットワークエレメント１６に供給する。
【００５６】
次のステップ５２において、マルチパスフェージング及び／又はスループットなどの重要なパラメータが適切なレベルにより分類される。
【００５７】
次のステップ５４において、本発明の実施例に従い、ネットワークエレメント１６は、既定の基準を用いてプリアンブルを規定する（例えば、その長さを規定することにより）。プリアンブル長は、マルチパスチャネルのフェージングの程度、又は／及び、データ信号における名目スループットに関連するスループット、又は／及び、制御信号若しくはデータ信号における送信ギャップにより決められる。
【００５８】
次のステップ５６において、ネットワークエレメント１６はプリアンブル規定信号３４をユーザー装置１０に送信する。最後に、次のステップ５８において、ユーザー装置１０は、規定された長さのプリアンブル（信号３２ｂ）を伴う制御信号（例えば、DPCCH上）をネットワークエレメント１６に供給する。
【００５９】
上で説明したように、本発明は、方法、及び該方法のステップを実行するための機能を供給する様々なモジュールを有する対応する装置の両方を提供する。モジュールは、ハードウェアとして実装でき、又はコンピュータープロセッサーによる実行のためのソフトウェア若しくはファームウェアとして実装できる。特に、ファームウェア又はソフトウェアの場合、本発明は、コンピュータープロセッサーによる実行のためのコンピュータープログラムコード（即ち、ソフトウェア又はファームウェア）を搭載するコンピューター読取り可能記憶構成を有するコンピュータープログラムプロダクトとして提供される。
【００６０】
また、ここで記載した本発明の様々な実施例は、特定のアプリケーションに対して、分離して、組み合わせて、又は選択的に組み合わせて使用できる。
【００６１】
当然のことではあるが、上記した構成は本発明の原理のアプリケーションのただの実例である。多くの変更及び代替の処理が、本発明の主旨から逸脱することなく当業者により考え出されることができ、付属の請求項はそのような変更及び処理にわたることを意図する。
【図面の簡単な説明】
【００６２】
【図１】関連技術に従い、パケットサービスセッションの特徴を図示しているダイアグラム。
【図２ａ】強いフェージング（例えば、ITU規定の歩行者Ａチャネルモデル、UE速度3 km/h、又はPA3）マルチパスチャネルにおいて、異なるプリアンブル長に対するEc/N0を関数としたシステムスループットのシミュレーション結果を示すグラフ。
【図２ｂ】強くないフェージング（例えば、ITU規定の自動車Ａチャネルモデル、UE速度30 km/h、又はVA30）マルチパスチャネルにおいて、異なるプリアンブル長に対するEc/N0を関数としたシステムスループットのシミュレーション結果を示すグラフ。
【図３】本発明の実施例に従い、プリアンブルを送信するための、例えば、個別物理制御チャネル（DPCCH）を用いた連続接続性送信において、適応的なプリアンブル長を規定することを図示するためのブロックダイアグラム。
【図４】本発明の実施例に従い、DLにおける適応的なプリアンブル長を規定することを図示するためのブロックダイアグラム
【図５】本発明の実施例に従い、プリアンブルを送信するための、例えば、個別物理制御チャネル（DPCCH）を用いた連続接続性送信において、適応プリアンブル長を規定することを説明するためのフローチャート。
【図１】
2009527140.tif 000003
【図２ａ】
2009527140.tif 000004
【図２ｂ】
2009527140.tif 000005
【図３】
2009527140.tif 000006
【図４】
2009527140.tif 000007
【図５】
2009527140.tif 000008
【国際調査報告】
2009527140.tif 000009
2009527140.tif 000010
2009527140.tif 000011
2009527140.tif 000012
2009527140.tif 000013
2009527140.tif 000014
2009527140.tif 000015